(57)【要約】      （修正有）【課題】親王雛（内裏雛）を載置するしとね台を、場所をとらずに収納できる畳台を備えた雛人形用飾台を提供する。【解決手段】基台と、該基台に載置する六角横長形状畳台と、該畳台に載置するしとね台とからなることを特徴とする雛人形用飾台。六角横長形状畳台は、長短６枚の枠板を適宜の接合方法により六角横長形状に枠組される枠体と、該枠体に取付けられる六角横長形状天板と、該天板上に取付けられる畳表とにより構成され、該畳表の縁部と前記枠体の側壁に帯状装飾織地が巻装することを特徴とする。前記しとね台は、前記六角横長形状畳台の裏面が形成する凹部内に収納される。【選択図】図３
0003165033.tif 000002
【実用新案登録請求の範囲】
【請求項１】
基台と、該基台に載置する六角横長形状畳台と、該畳台に載置する  しとね台  と、からなることを特徴とする雛人形用飾台。
【請求項２】
前記六角横長形状畳台は、長短６枚の枠板を適宜の接合方法により六角横長形状に枠組される枠体と、該枠体に取付けられる六角横長形状天板と、該天板上に取付けられる畳表と、により構成され、該畳表の縁部と前記枠体の側壁に帯状装飾織地が巻装することを特徴とする雛人形用飾台。
【請求項３】
前記、しとね台は、前記六角横長形状畳台の裏面が形成する凹部内に収納されることを特徴とする雛人形用飾台。
【考案の詳細な説明】
【考案の詳細な説明】
【技術分野】
【０００１】  本考案は、雛人形用飾台，すなわち、ひな人形親王飾りに用いられる飾台に関するものである。
【技術背景】
【０００２】  従来、この種の飾台には、収納時に場所をとる傾向のものが多い。
【０００３】  また、従来、ひな人形や  ひな道具の飾り付けと収納を兼ねる箱状タイプの飾台が提案されているが、この種の飾台はその飾り付けや収納時に手間を要する等の面倒があった。
【考案の開示】
【考案が解決しようとする課題】
【０００４】  本考案は、上記の点に着目して成されたもので、その目的は、しとね台（親王雛の載置台）の載置と、該しとね台の収納に好適し、且つ、基台に載置される雛屏風の飾り角度を端正に保つことができる構造形態の六角横長形状畳台を備えた雛人形用飾台を提供するにある。
【課題を解決するための手段】
【０００５】  本考案は、詳しくは、基台と，該基台に載置する六角横長形状畳台と、該畳台に載置する  しとね台  と、からなることを特徴とする雛人形用飾台である（請求項１）。【０００６】  前記六角横長形状畳台は、長短６枚の枠板を適宜の接合方法により六角横長形状に枠組される枠体と、該枠体に取付けられる六角横長形状天板と、該天板上に取付けられる畳表と、により構成され、該畳表の縁部と前記枠体の側壁に帯状装飾織地が巻装することを特徴とする（請求項２）。【０００７】  前記、しとね台は、六角横長形状畳台の裏面が形成する凹部内に収納されることを特徴とする（請求項３）。
【考案を実施する最良の形態】
【０００８】  本考案の実施形態を、図１乃至図５に基き説明する。
【０００９】  図面符号１は基台で、該基台１に六角横長形状畳台２が載置され、該畳台２に  しとね台３．３が載置する。
【００１０】  図面符号４は、三つ折り形体の雛屏風を示し、該屏風４は、前記基台１上の六角横長形状畳台２の角度に合わせた形体を保持して基台１に立設される（図１、図２を参照）。
【００１１】  前記六角横長形状畳台２は、長短６枚の枠板５を，適宜の接合方法により六角横長形状に枠組される枠体６と、該枠体６に取付けられる六角横長形状天板７と、該天板７上に取付けられる畳表８と、により構成され、該畳表８の縁部と前記枠体６の側壁９に帯状装飾織地１０が巻装する。
【００１２】  尚、前記しとね台３．３上に男女一対の親王雛（図示しない。）が載置され、また、基台１の両脇に雛雪洞１１が立設され（図２を参照）、更らに基台１の前方位置に三宝飾り，菱台，桜橘等の雛道具（図示しない。）が配置されて、親王雛飾りを形成する。
【００１３】  前記畳台２を図５に示すように逆転させると、畳台２の裏面には、凹部１２．１２が形成する。
従って、該凹部１２．１２内に、親王雛飾りに要した  しとね台３．３の収納が可能になる。また、前記しとね台３．３を収納した状態の畳台２を基台１の裏面凹部内に収納することが出来る。
【考案の効果】
【００１４】  以上説明したように、本考案によれば、親王雛が載置される  しとね台の載台を六角横長形状畳台に形成し得るものであるから、飾り主体となる親王雛に加飾効果を齎し、しかも、六角横長形状畳台に載置される  しとね台上の親王雛は、三つ折雛屏風を背景にして飾られるから、看者に新趣向感覚を印象付ける親王雛飾りの仕上がりとなる。
【００１５】  また、親王雛の載台となる  しとね台は、図５に示されるように、六角横長形状畳台の裏面の凹部に整然と収納することができ、更に、これを基台の裏面に収納することを可能にしたから、従来の親王雛飾りのものに比し、収納に手間が省け、収納に場所をとらず、しかも取扱いが至便である等の諸効果を奏するものである。
【００１６】  更に、本考案によれば、基台に載置する三つ折雛屏風はその飾り角度を、六角横長形状畳台の角度に合わせた形態で立設されるから、六角横長形状畳台それ自体、雛屏風の位置決めを可能にする。
【図面の簡単な説明】
【図１】  本考案に係る飾台の全体構成斜視図である。
【図２】  雛雪洞を配置した状態を示す飾台の斜視図である。
【図３】  六角横長形状畳台の斜視図である。
【図４】  六角横長形状畳台の縦断面図である。
【図５】  しとね台の収納状態を示す斜視図である。
【図面の符号】
１    基台
２    六角横長形状畳台
３    しとね台
４    雛屏風
５    枠板
６    枠体
７    六角横長形状天板
８    畳表
９    側壁
１０  帯状装飾織地
１１  雛雪洞
１２  凹部
【図１】
0003165033.tif 000003
【図２】
0003165033.tif 000004
【図３】
0003165033.tif 000005
【図４】
0003165033.tif 000006
【図５】
0003165033.tif 000007
【手続補正書】
【提出日】平成22年7月29日(2010.7.29)
【手続補正１】
【補正対象書類名】実用新案登録請求の範囲
【補正対象項目名】全文
【補正方法】変更
【補正の内容】
【実用新案登録請求の範囲】
【請求項１】
基台と、該基台に載置する六角横長形状畳台と、該畳台に載置するとね台  と、からなることを特徴とする雛人形用飾台。
【請求項２】
前記六角横長形状畳台は、長短６枚の枠板を適宜の接合方法により六角横長形状に枠組される枠体と、該枠体に取付けられる六角横長形状天板と、該天板上に取付けられる畳表と、により構成され、該畳表の縁部と前記枠体の側壁に帯状装飾織地が巻装することを特徴とする請求項１記載の雛人形用飾台。
【請求項３】
前記、しとね台は、前記六角横長形状畳台の裏面が形成する凹部内に収納されることを特徴とする請求項１記載の雛人形用飾台。
【手続補正書】
【提出日】平成22年10月9日(2010.10.9)
【手続補正１】
【補正対象書類名】実用新案登録請求の範囲
【補正対象項目名】全文
【補正方法】変更
【補正の内容】
【実用新案登録請求の範囲】
【請求項１】
基台と、該基台に載置する六角横長形状畳台と、該畳台に載置する  しとね台  と、からなることを特徴とする雛人形用飾台。
【請求項２】
前記六角横長形状畳台は、長短６枚の枠板を適宜の接合方法により六角横長形状に枠組される枠体と、該枠体に取付けられる六角横長形状天板と、該天板上に取付けられる畳表と、により構成され、該畳表の縁部と前記枠体の側壁に帯状装飾識地が巻装することを特徴とする請求項１記載の雛人形用飾台。
【請求項３】
前記しとね台は、前記六角横長形状畳台の裏面が形成する凹部内に収納されることを特徴とする請求項１記載の雛人形用飾台。